(57)【要約】【課題】水道水を注入したり水を交換するときに、鉱物が流失しない噴霧容器を提供する。【解決手段】多数の粒状または塊状の鉱物２０を収容する透明な容器本体２１と、この容器本体の開口２２に配置される噴霧器３０とを備え、容器本体の開口に鉱物の流出を抑制する鉱物抑制部材４０が装着される。この鉱物抑制部材は、円錐台形状を有し、円錐台の頂部平面が容器本体の内側に配置され、円錐台の基部が容器本体の開口に嵌合して開口の内周面と摩擦係合し、円錐台の頂部平面に、噴霧器の吸引管３２を挿通するための孔が形成され、円錐台の円錐面に、複数の通水孔が形成されている。水を排出するとき、容器本体内の鉱物は、容器本体の開口に鉱物抑制部材が嵌合されているため、容器本体の外に流出しない。【選択図】図２
0003167105.tif 000002
【実用新案登録請求の範囲】
【請求項１】
多数の粒状または塊状の鉱物を収容する透明な容器本体と、該容器本体の開口に配置される噴霧器とを備える噴霧容器であって、
前記容器本体の開口に前記鉱物の流出を抑制する鉱物抑制部材が装着され、
前記鉱物抑制部材は、円錐台形状を有し、
円錐台の頂部平面が前記容器本体の内側に配置され、
前記円錐台の基部が前記容器本体の開口に嵌合して該開口の内周面と摩擦係合し、
前記円錐台の頂部平面に、前記噴霧器の吸引管を挿通するための孔が形成され、前記円錐台の円錐面に、複数の通水孔が形成されていることを特徴とする噴霧容器。
【請求項２】
請求項１に記載の噴霧容器であって、前記容器本体の内側に配置された前記円錐台の頂部平面の位置が、前記容器本体への注水の上限位置を示していることを特徴とする噴霧容器。
【請求項３】
請求項１または２に記載の噴霧容器であって、前記鉱物の少なくとも一部が放射性鉱物であることを特徴とする噴霧容器。
【考案の詳細な説明】
【技術分野】
【０００１】
本考案は、美容や血行促進に効果をもたらす鉱石が浸漬された水を、顔や手足に噴霧する噴霧容器に関し、容器中への水の追加や水の交換を容易にしたものである。
【背景技術】
【０００２】
従来から、微量の放射線が人間の体に有益な「ホルミシス効果」をもたらすことは、広く知られており、放射性鉱石を利用した種々の商品が開発されている。
下記特許文献１には、放射性鉱石が浸漬された水を顔などに噴霧する噴霧容器が開示されている。
この容器は、図７に示すように、放射性鉱石を含む鉱石３〜９と水とを収容した透明な容器本体２と、容器本体の上端開口部に装着された噴霧器頭部１０とを有しており、噴霧器頭部から延びた吸引管が容器本体内の水に達している。
鉱石３〜９は、放射性鉱石、放射性鉱石の粉末を略球状に成形して焼結した放射性焼結体、紫水晶（アメジスト）、バラ石英（ローズ・クオーツ）、麦飯石、三仙石などである。
【０００３】
この噴霧容器のキャップ１４を外し、噴霧器頭部１０の押ボタン１１を押し下げると、容器本体内の水が管路１３を通ってノズル１２に移送され、ノズルから噴霧される。
特許文献１には、放射性鉱石が浸漬された水を身体に噴霧すると、血行が良くなり、新陳代謝が高まり、潤いのある健やかな素肌を保つことができ、シミ・ソバカスが薄くなると記載されている。
また、微量の放射線が水中の雑菌等を分解するので、容器内の水が腐敗しない、と記載されている。
【先行技術文献】
【特許文献】
【０００４】
【特許文献１】特開２００６−７１７５号公報
【考案の概要】
【考案が解決しようとする課題】
【０００５】
この放射性鉱物を利用して、放射性鉱物を収容した容器を消費者に提供し、消費者が、その容器に水道水を入れて化粧水や保湿剤として使用する、という形態が考えられる。こうすると、消費者は、この容器に水道水を繰り返し注入して何回も使用することができる。
しかし、従来の容器は、水道水を注入するときに、水勢により中の鉱物が容器の外に飛び出してしまう虞があり、また、水を交換するために容器を傾けたときに、水とともに鉱物が零れ落ちる虞がある。
【０００６】
本考案は、こうした事情を考慮して創案したものであり、水を注入したり交換したりするときでも、収容された鉱物が流出しない噴霧容器を提供することを目的としている。
【課題を解決するための手段】
【０００７】
本考案は、多数の粒状または塊状の鉱物を収容する透明な容器本体と、この容器本体の開口に配置される噴霧器とを備える噴霧容器であって、容器本体の開口に鉱物の流出を抑制する鉱物抑制部材が装着される。この鉱物抑制部材は、円錐台形状を有し、円錐台の頂部平面が容器本体の内側に配置され、円錐台の基部が容器本体の開口に嵌合して開口の内周面と摩擦係合し、円錐台の頂部平面に、噴霧器の吸引管を挿通するための孔が形成され、円錐台の円錐面に、複数の通水孔が形成されている。
この噴霧容器では、開口に配置された噴霧器を操作して、容器本体内の水を顔などに噴霧することができ、また、容器本体内に水を追加したり、交換したりするときは、噴霧器を外した状態で、容器本体の開口から水を注水し、あるいは、容器を傾けて水を排出する。このとき、容器本体内の鉱物は、容器本体の開口に鉱物抑制部材が嵌合されているため、容器本体の外に流出しない。
【０００８】
また、本考案の噴霧容器では、容器本体の内側に配置された円錐台の頂部平面の位置が、容器本体への注水の上限位置を示すように構成することができる。
こうすることで、注水量の目安が付き易い。
【０００９】
また、本考案の噴霧容器では、鉱物の少なくとも一部を放射性鉱物とする。
【考案の効果】
【００１０】
本考案の噴霧容器は、水道水を注入したり、水を交換するために容器を傾けたりしたときでも、収容した鉱物が流失せず、容器内の鉱物量が維持できる。そのため、この噴霧容器を所有する消費者は、水道水の注入を繰り返すことで、容器内の鉱物を使用し続けることができる。その結果、資源が有効活用され、不要コストが削減されることになる。
また、放射性物質の不用意な拡散を避けることができ、環境保護の観点からも利点がある。
【図面の簡単な説明】
【００１１】
【図１】本考案の実施形態に係る噴霧容器の外観図
【図２】図１の噴霧容器の断面図
【図３】図２の噴霧容器で用いる鉱物抑制部材を示す図
【図４】図２の噴霧容器の噴霧器を外した状態を示す図
【図５】図１の噴霧容器への注水時の状態を示す図
【図６】図１の噴霧容器中の水を排水するときの状態を示す図
【図７】従来の噴霧容器を示す図
【考案を実施するための形態】
【００１２】
図１は、本考案の実施形態に係る噴霧容器の側面図で、図２は、その断面図である。
この噴霧容器は、複数の球状の鉱物２０を収納する透明な容器本体２１と、容器本体の開口２２に螺合されるキャップ３１と、キャップ３１に結合された噴霧器３０と、容器本体の開口２２に嵌合された円錐台形状の鉱物抑制部材４０とを備えている。
【００１３】
噴霧器３０は、容器本体２１内に延びる吸引管３２と、押圧操作される押ボタン３３と、押ボタン３３の側方に突出するノズル３４とを有しており、容器本体の開口２２の外周面にキャップ３１を螺合することで、容器本体２１に結合される。容器本体２１に水が入っている場合は、押ボタン３３を押し下げると、容器本体内の水が吸引管３２を通ってノズル３４に移送され、ノズル３４の噴射口から噴霧される。
【００１４】
円錐台形状の鉱物抑制部材４０は、樹脂で成形され、図３（図３（ａ）は平面図、図３（ｂ）は断面図、図３（ｃ）は斜視図）に示すように、頂部平面４１に噴霧器３０の吸引管３２が挿通される孔４２を有し、円錐面４３に複数の通水孔４４を有している。
鉱物抑制部材４０の円錐台の基部には、容器本体２１の開口２２に嵌合して開口２２の内周面に摩擦係合する短円筒形状の係合部４５と、開口２２の端面に重なるフランジ部４６とを有している。
容器本体２１に鉱物抑制部材４０と噴霧器３０とをセットした状態では、図２に示すように、鉱物抑制部材４０のフランジ部４６が開口２２の端面とキャップ３１との間に挟まれて固定される。
【００１５】
また、噴霧器３０を外した状態を図４に示している。このとき、鉱物抑制部材４０の係合部４５が容器本体２１の開口２２の内周面に摩擦係合することで、容器本体２１に対して鉱物抑制部材４０が固定されている。容器本体２１から鉱物抑制部材４０を取り外す場合は、開口２２の端面と鉱物抑制部材４０のフランジ部４６との間に隙間を空け、その隙間を広げて行って、鉱物抑制部材４０の係合部４５と開口２２の内周面との係合を外す必要がある。
【００１６】
容器本体２１に水道水を注入する場合は、図５に示すように、容器本体２１に鉱物抑制部材４０を装着した状態で注水する。このようにすれば、水道水の水勢で鉱物２０が容器本体２１内で踊ることがあっても、鉱物抑制部材４０が存在するので、鉱物２０が容器本体２１の外に飛び出すことは回避できる。
【００１７】
また、容器本体２１内の水を交換する場合は、図６に示すように、容器本体２１に鉱物抑制部材４０を装着した状態で容器本体２１を傾ける。このとき、容器本体２１内の水は、鉱物抑制部材４０の中央の孔４２や通水孔４４を通じて容器本体２１の外に流れるが、鉱物２０は、鉱物抑制部材４０に遮られて、容器本体２１の外には流出しない。
そのため、鉱物抑制部材４０の作用で、鉱物２０の流出による減少を避けることができる。
また、図５において、鉱物抑制部材４０の頂部平面４１の位置を、容器本体２１への注水の上限位置となるように設定しておけば、どこまで注水できるかが直ぐに分かる。
【００１８】
本考案の噴霧容器に収納する鉱物２０には、放射性鉱物であるラジウム鉱石や、ラジウム鉱石の粉末を略球状に成形して焼結した放射性焼結体などを用いることができ、また、水道水の腐敗を防ぐために銀や銅などを加えてもよい。
この噴霧容器は、ハンドバッグなどに入れて持ち歩き、何時でもどこでも手軽に使用できる。また、水の補充は、洗面所などで簡単に行うことができる。
【符号の説明】
【００１９】
２０  鉱物
２１  容器本体
２２  開口
３０  噴霧器
３１  キャップ
３２  吸引管
３３  押ボタン
３４  ノズル
４０  鉱物抑制部材
４１  頂部平面
４２  孔
４３  円錐面
４４  通水孔
４５  係合部
４６  フランジ部
【図１】
0003167105.tif 000003
【図２】
0003167105.tif 000004
【図３】
0003167105.tif 000005
【図４】
0003167105.tif 000006
【図５】
0003167105.tif 000007
【図６】
0003167105.tif 000008
【図７】
0003167105.tif 000009